(57)【要約】【課題】  ワンタッチで容易にミシンのベッド面を傾斜させることができ、且つ傾斜した状態が安定的に維持され、楽な姿勢によるミシン作業を可能とする人に優しいミシンを提供することである。【解決手段】  ミシン底部に配置され、ベッド面１１を傾斜させる際に収容位置からスライド操作された後に回動される可動足２と、可動足２を収容位置から回動される方向に付勢するねじりコイルばね（弾性部材）６と、可動足２を解除可能に収容位置に保持するロック機構８と、可動足２を所定の回動位置で制止し、可動足２をねじりコイルばね６との間で挟持するストッパ５と、を有する。【選択図】  図３
2006204364.tif 000002
【特許請求の範囲】
【請求項１】
ベッド面が水平な状態と傾斜した状態の少なくとも２つの状態をとるミシンであって、
前記ミシンの底部に配置され、前記ベッド面を傾斜させる際に収容位置からスライド操作された後に回動される可動足と、
前記可動足を前記収容位置から回動される方向に付勢する弾性部材と、
前記可動足を前記収容位置に解除可能にロックし前記スライド操作により該ロックが解除されるロック機構と、
前記可動足を所定の回動位置で制止し、該可動足を前記弾性部材との間で挟持するストッパと、
を有する、ことを特徴とするミシン。
【請求項２】
前記弾性部材は、前記可動足を前記収容位置に向かって付勢することを特徴とする請求項１記載のミシン。
【請求項３】
前記ミシンの底部において前記可動足の側方に配置された側方固定足と、前記ミシンの底部において前記可動足の前方に配置された複数の前方固定足と、を有し、
前記可動足が前記収容位置にある場合は該可動足、前記側部固定足及び前記複数の前方固定足が接地し、該可動足が前記所定の回動位置にある場合は該可動足及び前記複数の前方固定足が接地することを特徴とする請求項１又は２記載のミシン。
【請求項４】
前記可動足が前記ミシンの左右方向に沿って幅広に延在していることを特徴とする請求項１〜３のいずれか一記載のミシン。
【請求項５】
前記可動足の先端に取り付けられた緩衝材を有し、
前記可動足が前記初期位置にある場合は前記緩衝材の側面が接地し、前記所定の回動位置にある場合は該緩衝材の先端側が接地することを特徴とする請求項１〜４のいずれか一記載のミシン。
【請求項６】
前記可動足が、前記ミシンのベース側に固定された軸に一側がスライド及び回動可能に嵌装され他側に接地用のゴムが取り付けられ、前記ミシンの左右方向に沿って幅広に延在する傾斜板であり、
前記弾性部材が、前記軸に挿通され、前記ミシンのベース側と前記可動足との間に圧縮介装され、軸方向付勢力が前記可動足を前記収容位置に向かって付勢し、周方向付勢力が該可動足を前記所定の回動位置に向かって付勢するねじりコイルばねであり、
前記ロック機構が、前記可動足の側部に形成された突起と、前記ミシンのベース側に形成され前記突起が解除可能に嵌合する孔と、を含んで構成され、
前記ストッパは前記軸に嵌装されたスリーブである、ことを特徴とする請求項１〜５のいずれか一記載のミシン。
【発明の詳細な説明】
【技術分野】
【０００１】
本発明はミシンに関する。
【背景技術】
【０００２】
ミシン作業の作業性を良くするための形状的な技術としては、大きく分けて２つある。
【０００３】
第１の技術は、特許文献１又は２に開示されているような拡張テーブルに関し、作業面を広くするために、普段はミシンケースとして使用しているものを、テーブルとして用いることにより作業性を良くする技術である。
【０００４】
第２の技術は、特許文献３又は４に開示されているようなフリーアームに関し、筒物縫いをする時に、補助ベッドを外し、ベッド面を筒ものが入るように細くする技術である。
【０００５】
また、特許文献５〜７には、ミシンをフリーアーム状態で使用する際、ミシンないしそのベッド面を傾斜させる技術が開示されている。
【０００６】
特許文献５には、ミシンのベース上部に、ミシン本体を揺動させることによりベッド面を傾斜させる機構を設けたミシンが開示されている。
【０００７】
特許文献６には、ミシンのベッド面が傾斜したミシンが開示されているる。
【０００８】
特許文献７には、ミシン本体に枢着された位置決め部材によりフリーアーム部の下方とミシン載置面との間に隙間が形成されるフリーアーム状態（傾斜状態）と、前方位置決め部材を解除し、前記フリーアーム部の支持足がミシンの載置面に接触するフラットベッド状態（水平状態）の２状態をとることができるミシンが提案されている。
【０００９】
【特許文献１】特開平６−３４３７８７号公報（要約、ミシンカバー２０）
【特許文献２】実公昭６０−２５９８３号公報（請求の範囲）
【特許文献３】特開平８−１４１２６７号公報（要約、段落００１４）
【特許文献４】実公昭６１−２５７５３号公報（第７図）
【特許文献５】実開昭６１−６４８８８号公報（第５図）
【特許文献６】実開昭６０−１７９２８４号公報（第１図）
【特許文献７】実開昭６０−１７９２８３号公報（請求の範囲、第２図）
【発明の開示】
【発明が解決しようとする課題】
【００１０】
しかしながら、特許文献１〜４の発明又は考案は、作業面の拡大を図るために提案されたものであり、実際の縫い作業における、縫い姿勢を改善するものではない。
【００１１】
特許文献５の考案によれば、ミシンのベース上部に、ミシン本体を揺動させることによりベッド面を傾斜させる機構を配置しているため、機構が複雑になっている。
【００１２】
特許文献６の考案によれば、ミシンのベッド面は傾斜した一状態しかとることができないため、種々の縫い物、例えば、大型平板な縫い物を行い難いという問題がある。
【００１３】
特許文献７の考案によれば、ミシンのベッド面を傾斜させる際に位置決め部材に人手による操作力の他に補助力が加わらないため位置決め部材が引き出しにくく、又ベッド面を傾斜させた状態で位置決め部材が不安定であるという問題がある。
【００１４】
本発明の目的は、ワンタッチで容易にミシンのベッド面を傾斜させることができ、且つ傾斜した状態が安定的に維持され、楽な姿勢によるミシン作業を可能とする人に優しいミシンを提供することである。
【課題を解決するための手段】
【００１５】
本発明は、第１の視点において、ベッド面が水平な状態と傾斜した状態の少なくとも２つの状態をとるミシンであって、前記ミシンの底部に配置され、前記ベッド面を傾斜させる際に収容位置からスライド操作された後に回動される可動足と、前記可動足を前記収容位置から回動される方向に付勢する弾性部材と、前記可動足を前記収容位置に解除可能にロックし前記スライド操作により該ロックが解除されるロック機構と、前記可動足を所定の回動位置で制止し、該可動足を前記弾性部材との間で挟持するストッパと、を有する、ことを特徴とするミシンを提供する。
【発明の効果】
【００１６】
本発明によれば、スライド操作によりワンタッチで、且つ弾性部材の補助力によって小さな操作力で、ミシンのベッド面を水平状態から傾斜状態にすることができる。さらに、弾性部材とストッパの相互作用によって、傾斜状態が安定的に維持される。かくして、本発明によれば、手首の負担を極力少なくするためにベッド面１１を極力低く設定しても、作業時には、ベッド面を傾斜させるための機構１２によりミシン１０のベッド面１１を傾斜させることによって（図１（Ａ））、ミシン底部とミシン載置面との間の隙間を十分に確保することができるため、筒物縫いを楽に行うことができ、しかも、ミシン作業者を前傾姿勢（猫背）にさせにくくする人に優しいミシンが提供される。このことは、ミシンベッド部がフラットである場合と対比すれば、より明瞭となる。すなわち、フリーアームの場合であれ、そうでない場合であれ、図１（Ｂ）に示すように、ミシン１００のベッド面（ベッド部）１１１がフラットであると、ミシン作業者が前傾姿勢（猫背）になる傾向があって作業効率が低下するが、本発明によれば、前述したようにベッド面１１を傾けるので、かような不具合はない。
【発明を実施するための最良の形態】
【００１７】
本発明の好ましい実施の形態に係るミシンにおいて、前記弾性部材は、前記可動足を前記収容位置に向かって付勢する。この形態によれば、収容位置（ミシンのベッド面の水平状態）及び所定の回動位置（傾斜状態）の両方において、可動足の位置決めが安定する。
【００１８】
本発明の好ましい実施の形態に係るミシンは、前記ミシンの底部において前記可動足の側方に配置された側方固定足と、前記ミシンの底部において前記可動足の前方に配置された複数の前方固定足と、を有し、前記可動足が前記収容位置にある場合は該可動足、前記側部固定足及び前記複数の前方固定足が接地し、該可動足が前記所定の回動位置にある場合は該可動足及び前記複数の前方固定足が接地する。この形態によれば、最小限の足数で傾斜状態が安定的に維持され、ミシンのベッド面の水平状態においても前記可動足が活用されるため効率的である。
【００１９】
本発明の好ましい実施の形態に係るミシンは、前記可動足が前記ミシンの左右方向に沿って幅広に延在している。この形態によれば、最小限の足数で傾斜状態が安定的に維持される。
【００２０】
本発明の好ましい実施の形態に係るミシンは、前記可動足の先端に取り付けられた緩衝材を有し、前記可動足が前記収容位置にある場合は前記緩衝材の側面が接地し、前記所定の回動位置にある場合は該緩衝材の先端側が接地する。この形態によれば、ミシンのベッド面の水平状態（収容位置）においても前記可動足が活用されるため効率的である。
【００２１】
本発明の好ましい実施の形態に係るミシンにおいては、前記可動足が、前記ミシンのベース側に固定された軸に一側が回動可能に嵌装され他側に接地用のゴムが取り付けられ、前記ミシンの左右方向に沿って幅広に延在する傾斜板であり、前記弾性部材が、前記軸に挿通され、前記ミシンのベース側と前記可動足との間に圧縮介装され、軸方向付勢力が前記可動足を前記収容位置に向かって付勢し、周方向付勢力が該可動足を前記所定の回動位置に向かって付勢するねじりコイルばねであり、前記ロック機構が、前記可動足の側部に形成された突起と、前記ミシンのベース側に形成され前記突起が解除可能に嵌合する孔と、を含んで構成され、前記ストッパは前記軸に嵌装されたスリーブである。この形態によれば、少ない部品数かつ集約されたスペースにミシンのベッド面を傾斜させるための機構を配置することができる。
【実施例１】
【００２２】
図面を参照して、本発明の一実施例を説明する。
【００２３】
図２（Ａ）〜図２（Ｃ）は、本発明の第１の実施例に係るミシンを説明するための外観概略図であって、図２（Ａ）はミシンのベッド面が水平状態、図２（Ｂ）はフリーアーム時にミシンのベッド面が傾斜している状態、図２（Ｃ）は図２（Ａ）のミシン底面をそれぞれ示している。
【００２４】
図３（Ａ）は図２（Ｃ）の要部拡大図であり、図３（Ｂ）は図３（Ａ）の動作図である。
【００２５】
図４（Ａ）は図３（Ａ）の側面図であり、図４（Ｂ）は図３（Ｂ）の側面図である。
【００２６】
図２（Ａ）〜図２（Ｃ）を参照すると、本発明の第１の実施例に係るミシン１０は、ミシン底部に、ミシン１０ないしそのベッド面１１を解除可能に前方に傾斜させるための機構１２が配置されている。ミシン１０は、ミシン底部後方に配置されて機構１２によって動作する可動足２及び可動足２の側方に配置された側方固定足７ａと、可動足２の前方に配置された複数の前方固定足７ｂ，７ｃと、を有する。ミシン１０の振動を押えるために、各足にはゴムが取り付けられている。
【００２７】
特に、図３（Ａ）を参照して、機構１２の詳細を説明すると、機構１２は、ミシン底部に配置され、ベッド面１１を傾斜させる際に収容位置からスライド操作された後に回動される可動足２と、可動足２を収容位置から回動される方向に付勢するねじりコイルばね（弾性部材）６と、可動足２を解除可能に収容位置に保持するロック機構８と、可動足２を所定の回動位置で制止し、可動足２をねじりコイルばね６との間で挟持するストッパ５と、を有する。
【００２８】
可動足２は、ミシン左右方向に沿って幅広に延在し（図２（Ｃ）参照）、一側はミシン１０のベース板１に固定された軸３に回動可能に嵌装され、可動足２の先端には緩衝材として接地用のゴム４が取り付けられている。
【００２９】
ねじりコイルばね６は、軸３に挿通され、ベース板１と可動足２との間に圧縮介装され、そのコイル部は可動足２の脚部２ａに当接して軸方向付勢力により可動足２を収容位置（図３（Ａ）参照）に向かって付勢し、その周方向付勢力は可動足２を所定の回動位置（図４（Ｂ）参照）に向かって付勢する。
【００３０】
ロック機構８は、可動足２の側部に形成された突起８ａと、ベース板１に形成され突起８ａが解除可能に嵌合する孔８ｂと、を含んで構成される。
【００３１】
特に、図３（Ｂ）及び図４（Ｂ）を参照すると、ストッパ５は軸（固定軸）３に嵌装されたスリーブであり、軸３上、可動足２の内側に配置されている。
【００３２】
以上説明した本発明の第１の実施例に係るミシンのベッド面を傾斜又は傾斜解除する操作方法を説明する。
【００３３】
図３（Ａ）及び図４（Ａ）を参照すると、ミシン１０のベッド面１１の水平状態（図２（Ａ）参照）において、可動足２は、ベース板１内に一部収容され、ゴム４の側面が接地している。また、突起８ａは孔８ｂに嵌合し、ねじりコイルばね６の軸方向付勢力によってこの収容状態は安定的に維持される。
【００３４】
一方、ミシン１０をフリーアーム状態で使用する際、ベッド面１１を傾斜させるため（図２（Ｂ）参照）、図３（Ａ）を参照して、ミシン作業者は可動足２をミシン左右方向にスライドして突起８ａが孔８ｂに嵌合している状態を解除すると、ねじりコイルばね６の周方向付勢力によって可動足２は回動する。図４（Ａ）を参照すると、可動足２は、やがて所定の回動位置において、ストッパ５に当接し、ストッパ５とねじりコイルばね６との間で挟持されることにより、所定の回動位置においても安定して位置決めされると共に、ゴム４の先端側が接地する。
【００３５】
傾斜状態から水平状態に変更する場合、ミシン作業者は、可動足２を上記と反対方向に回動した後、上記と反対方向にスライドさせて突起８ａを孔８ｂに嵌合させる。
【００３６】
以上説明したように、ミシン１０ないしベッド面１１を傾斜させる際は、可動足２をスライドすると、ねじりコイルばね６の補助力がミシン１０の重量に抗するように働くため、ワンタッチで傾斜状態を実現でき煩わしい操作が不要となる。
【産業上の利用可能性】
【００３７】
本発明は、種々の形状の縫い物を行うミシン、特に、平物と筒物の両方の縫い物を行うミシンに好適に適用される。
【図面の簡単な説明】
【００３８】
【図１】（Ａ）は本発明の効果、（Ｂ）は比較例の問題点を説明するための図である。
【図２】（Ａ）〜（Ｃ）は、本発明の第１の実施例に係るミシンを説明するための外観概略図であって、（Ａ）はミシンのベッド面が水平な状態、図２（Ｂ）はフリーアーム時にミシンのベッド面が傾斜している状態、（Ｃ）は（Ａ）のミシン底面をそれぞれ示している。
【図３】（Ａ）は図２（Ｃ）の要部拡大図であり、（Ｂ）は図３（Ａ）の動作図である。
【図４】（Ａ）は図３（Ａ）の側面図であり、（Ｂ）は図３（Ｂ）の側面図である。
【符号の説明】
【００３９】
１  ベース板
２  可動足
２ａ  脚部
３  軸
４  ゴム（緩衝材）
５  ストッパ
６  ねじりコイルばね（弾性部材）
７ａ  側方固定足
７ｂ，７ｃ  複数の前方固定足
８  ロック機構
８ａ  突起
８ｂ  孔
１０  ミシン
１１  ベッド面
１２  ベッド面を傾斜させるための機構
【図１】
2006204364.tif 000003
【図２】
2006204364.tif 000004
【図３】
2006204364.tif 000005
【図４】
2006204364.tif 000006